(57)【要約】【課題】  ポインティングデバイスの入力操作性や組立精度への影響を低減し、かつ防塵防水機能の劣化を回避しつつ、ポインティングデバイスを端末装置に組み込む。【解決手段】  端末装置１０に搭載されるポインティングデバイス２２は、回路基板１４上に配置される第１検出要素２６と、第１検出要素２６に非接触に近接配置される第２検出要素２８と、第２検出要素２８を固定的に担持する操作部材３０と、回路基板１４に対して操作部材３０を変位可能に支持する支持部材３２とを備える。磁石２８と操作部材３０と支持部材３２とは、互いに組み合わされて操作部組立体３４を構成する。キーパネル１８は、複数の押下要素に連結されてポインティングデバイス２２の設置場所に延長されるシート状の延長部分５０を有する。延長部分５０は、回路基板１４を被覆して、ポインティングデバイス２２の第１検出要素２６と操作部組立体３４との間に介在する。【選択図】      図２
2005107672.tif 000002
【特許請求の範囲】
【請求項１】
複数のスイッチを担持する回路基板と、該複数のスイッチを個別に動作させる複数の押下要素を有し、それら押下要素を該スイッチのそれぞれに対向させて該回路基板に重ね合わされるキーパネルと、該回路基板に関連して固定的に配置される第１検出要素及び該第１検出要素に非接触に近接して移動可能に配置される第２検出要素を有し、該第１検出要素に対する該第２検出要素の移動に基づく信号を出力するポインティングデバイスとを具備する端末装置において、
前記ポインティングデバイスは、前記第２検出要素と、該第２検出要素を固定的に担持する操作部材と、前記回路基板に対して該操作部材を変位可能に支持する支持部材とを、互いに組み合わせてなる操作部組立体を備え、
前記キーパネルは、前記複数の押下要素に連結されるシート状の延長部分を有し、該延長部分が、前記ポインティングデバイスの設置場所で前記回路基板を被覆して、該ポインティングデバイスの前記第１検出要素と前記操作部組立体との間に介在すること、
を特徴とする端末装置。
【請求項２】
前記ポインティングデバイスの設置場所で前記回路基板に担持される第２のスイッチを備え、前記操作部組立体を押下操作することにより前記キーパネルの前記延長部分が該第２のスイッチを押圧して動作させる請求項１に記載の端末装置。
【請求項３】
前記ポインティングデバイスの前記操作部組立体を前記キーパネルの前記延長部分に位置合わせして保持する位置決め構造をさらに具備する請求項１又は２に記載の端末装置。
【発明の詳細な説明】
【技術分野】
【０００１】
本発明は、ポインティングデバイスを搭載した端末装置に関する。
【背景技術】
【０００２】
パーソナルコンピュータや携帯情報端末（ＰＤＡ）等の、ディスプレイ及びキーボードを備えたデジタルデータ処理装置において、オペレータの手操作によるアナログ的な情報（例えば指先の動作方向や動作距離）の入力により、ディスプレイ上のカーソル移動データ等の座標データを指示する補助入力装置としてのポインティングデバイスを、データ処理装置（特にキーボード）の筐体に組み込んで備えたものは周知である。近年、この種の筐体組込型ポインティングデバイスは、携帯電話やＡＶ機器用リモートコントロールスイッチ等の、手持操作式の小型端末装置においても、端末装置の一層の多機能化を実現する目的で搭載される傾向にある。
【０００３】
手持操作式の小型端末装置は、一般に、端末装置の主機能要素である複数のスイッチを担持する回路基板と、それらスイッチを個別に動作させる複数の押下要素を有するキーパネルと、対応するスイッチと押下要素とをそれぞれに対向させて回路基板とキーパネルとを互いに重ね合わせた状態で収容する薄型の筐体とを備える。この種の小型端末装置に搭載されるポインティングデバイスは、それ自体、端末装置の携帯性や手持操作性を損なわないように、筐体からの突出部分を可及的に削減できる薄型（低背型）構造を有することが要求される。そして、そのような薄形化が容易なポインティングデバイスとして、互いに非接触に近接して相対移動可能に配置される第１及び第２の検出要素を有し、それら第１及び第２の検出要素の相対移動に伴いその移動方向及び移動距離に基づく信号を出力する非接触検出構造を有するものが採用されている。
【０００４】
例えば特許文献１は、非接触型の第１及び第２の検出要素として、回路基板に実装されるホールセンサ（磁電変換素子）と、回路基板に対し変位可能な操作部に内蔵される永久磁石とを備えた磁電変換素子型のポインティングデバイスを、移動電話機に搭載した構成を開示する。この移動電話機では、ポインティングデバイスの操作部は、永久磁石を担持するラバーベースを有し、このラバーベースが、電話機の主機能要素としての複数のキー（押下要素）を有するキーマット（キーパネル）に一体的に形成されている。一般に、磁電変換素子型のポインティングデバイスは、座標データ入力に必要な操作部材の移動量が少なく、かつ消費電力が比較的低いことから、携帯情報端末（ＰＤＡ）、携帯電話、ＡＶリモコン等の、手持操作可能な種々の小型端末装置に、とりわけ有利に搭載できるものである。なお、磁石及び磁電変換素子に代わる他の非接触型の検出要素として、光センサ（発光素子及び受光素子）を内蔵したポインティングデバイスも知られている。
【特許文献１】特開２００２−１５０９０４号公報
【発明の開示】
【発明が解決しようとする課題】
【０００５】
前述した特許文献１に開示されるように、従来のポインティングデバイス付きの端末装置では、ポインティングデバイスの操作部の一構成要素を、端末装置の必須構成部品であるキーパネルに一体的に形成する構成が採用される傾向にある。このような構成においては、キーパネルの予め設定された形状、寸法、材料等によって、ポインティングデバイスの操作部が構造的な制約を受け、場合によってはポインティングデバイスの入力操作性に影響を及ぼすことが懸念される。また、端末装置におけるキーパネルの組付け作業が、ポインティングデバイスの組立工程の一段階を兼ねているから、ポインティングデバイスの組立精度（特に第１及び第２の検出要素の相対位置精度）を確保することが困難になる危惧がある。他方、従来の端末装置において、ポインティングデバイスの設置場所でキーパネルに開口を設け、キーパネルから独立した部品として回路基板上にポインティングデバイスの操作部を搭載する構成も提案されている。このような構成では、上記したポインティングデバイスの入力操作性や組立精度への影響は低減されるものの、キーパネルの本質的機能である回路基板に対する防塵防水機能が劣化する危惧がある。
【０００６】
本発明の目的は、ポインティングデバイス付きの端末装置において、ポインティングデバイスの入力操作性や組立精度に影響を及ぼすことなく、かつ端末装置本来の防塵防水機能を劣化させることなく、ポインティングデバイスを容易に組み込むことができる端末装置を提供することにある。
【課題を解決するための手段】
【０００７】
上記目的を達成するために、請求項１に記載の発明は、複数のスイッチを担持する回路基板と、複数のスイッチを個別に動作させる複数の押下要素を有し、それら押下要素をスイッチのそれぞれに対向させて回路基板に重ね合わされるキーパネルと、回路基板に関連して固定的に配置される第１検出要素及び第１検出要素に非接触に近接して移動可能に配置される第２検出要素を有し、第１検出要素に対する第２検出要素の移動に基づく信号を出力するポインティングデバイスとを具備する端末装置において、ポインティングデバイスは、第２検出要素と、第２検出要素を固定的に担持する操作部材と、回路基板に対して操作部材を変位可能に支持する支持部材とを、互いに組み合わせてなる操作部組立体を備え、キーパネルは、複数の押下要素に連結されるシート状の延長部分を有し、延長部分が、ポインティングデバイスの設置場所で回路基板を被覆して、ポインティングデバイスの第１検出要素と操作部組立体との間に介在すること、を特徴とする端末装置を提供する。
【０００８】
請求項２に記載の発明は、請求項１に記載の電磁継電器において、ポインティングデバイスの設置場所で回路基板に担持される第２のスイッチを備え、操作部組立体を押下操作することによりキーパネルの延長部分が第２のスイッチを押圧して動作させる端末装置を提供する。
【０００９】
請求項３に記載の発明は、請求項１又は２に記載の電磁継電器において、ポインティングデバイスの操作部組立体をキーパネルの延長部分に位置合わせして保持する位置決め構造をさらに具備する端末装置を提供する。
【発明の効果】
【００１０】
請求項１に記載の発明によれば、ポインティングデバイスが、キーパネルから独立した部品である操作部組立体を有する構成としたから、キーパネルの構造に起因するポインティングデバイスの入力操作性や組立精度への影響が効果的に低減される。また、操作部組立体を１つの集成体として取り扱うことができるので、内蔵する第２検出要素を回路基板に関連する第１検出要素に対し適正位置に正確に位置決めすることができる。しかも、ポインティングデバイスの設置場所でキーパネルの延長部分が回路基板を被覆する構成としたから、キーパネルの本質的機能である回路基板に対する防塵防水機能を劣化させることがない。したがってこの発明によれば、ポインティングデバイス付きの端末装置において、ポインティングデバイスの入力操作性や組立精度に影響を及ぼすことなく、かつ端末装置本来の防塵防水機能を劣化させることなく、ポインティングデバイスを容易に組み込むことが可能になる。
【００１１】
請求項２に記載の発明によれば、第２のスイッチの搭載によりポインティングデバイスにクリック機能を付加することができ、しかもキーパネルの延長部分が第２のスイッチを動作させるようにしたから、キーパネルによる防塵防水機能を劣化させることがない。
【００１２】
請求項３に記載の発明によれば、ポインティングデバイスの操作部組立体を、回路基板に関連する第１検出要素に対して正確に位置決めすることができるので、ポインティングデバイスの操作信頼性が向上する。
【発明を実施するための最良の形態】
【００１３】
以下、添付図面を参照して、本発明の実施の形態を詳細に説明する。全図面に渡り、対応する構成要素には共通の参照符号を付す。
図面を参照すると、図１は、本発明の一実施形態による端末装置１０の主要部の分解斜視図、図２は、端末装置１０の主要部の組立断面図である。端末装置１０は、その主機能要素である複数のスイッチ１２を担持する回路基板１４と、それらスイッチ１２を個別に動作させる複数の押下要素１６を有するキーパネル１８と、対応するスイッチ１２と押下要素１６とをそれぞれに対向させて回路基板１４とキーパネル１８とを互いに重ね合わせた状態で収容する薄型の筐体（上部筐体２０のみ図示）と、補助入力装置として搭載されるポインティングデバイス２２とを備える。端末装置１０は、例として携帯電話の構成を有するものであり、図示の主要部は、携帯電話に必須のダイヤルキー等の機能キーを備えた手持操作部である。
【００１４】
回路基板１４は、例えば周知の剛性印刷回路板からなり、その表面１４ａに予め定めた配列で、複数のスイッチ１２が実装されるとともに、通常はその裏面１４ｂにＩＣ等の多数の電子部品が実装される。或いは単体の回路基板１４の代わりに、複数のスイッチ１２が実装される可撓性印刷回路板と、ＩＣ等の電子部品が実装される剛性印刷回路板とを組み合わせて、回路基板１４を構成することもできる。個々のスイッチ１２は例えば、回路基板１４の表面に形成される一対の導体片と、それら導体片に対向配置されるドーム状の短絡片とを備え、短絡片をスナップ式に弾性変形させて両導体片に接触／離脱させることによりスイッチ開閉動作する構成を有する。
【００１５】
キーパネル１８は、合成ゴム等の弾性材料からなる薄板状部材であり、回路基板１４のスイッチ１２の配列に対応する所定位置に、個々に弾性変位可能な中実柱状の複数の押下要素１６が、一表面から突出形成される。個々の押下要素１６は、回路基板１４の個々のスイッチ１２に実質的に重なるように配置される。各押下要素１６は、その突出端面に押圧力が加わることにより、キーパネル１８上で回路基板１４側へ沈下するように弾性的に変位して、対応のスイッチ１２に押圧力を伝達し、それにより上記短絡片を弾性変形させてスイッチ１２を閉成させる。キーパネル１８は、例えば射出成形により、複数の押下要素１６を含む一体成形品として作製することができる。
【００１６】
上部筐体２０は、樹脂成形品からなる薄肉の箱状部材であり、キーパネル１８の複数の押下要素１６及びポインティングデバイス２２の後述する操作部を挿通させる複数の貫通孔２４を、それぞれの対応位置に備える。上部筐体２０は、図示しない下部筐体に固定的に組み合わされて、回路基板１４及びキーパネル１８を収容する手持操作可能な薄型の筐体を構成する。
【００１７】
ポインティングデバイス２２は、回路基板１４に関連して固定的に配置される第１検出要素２６と、第１検出要素２６に非接触に近接して移動可能に配置される第２検出要素２８とを備え、第１検出要素２６に対する第２検出要素２８の移動に基づく信号を出力する非接触検出構造を有する。具体的には、第１検出要素２６は、回路基板１４の裏面１４ｂに実装される４個の磁電変換素子（例えばホール素子）２６から構成される。また第２検出要素２８は、回路基板１４の表面１４ａ側で回路基板１４に近接して配置される１個の磁石（例えば永久磁石）２８から構成される。なお、前述したように回路基板１４が、複数のスイッチ１２を実装した可撓性印刷回路板とＩＣ等の電子部品を実装した剛性印刷回路板との組合せからなる場合は、第１検出要素（磁電変換素子）２６を剛性印刷回路板に実装することもできる。
【００１８】
ポインティングデバイス２２はさらに、第２検出要素である磁石２８を固定的に担持する操作部材３０と、回路基板１４に対して操作部材３０を変位可能に支持する支持部材３２とを備える。磁石２８と操作部材３０と支持部材３２とは、互いに適正に組み合わされて、１つの集成体として取り扱うことが可能な操作部組立体３４を構成する。さらに詳述すると、磁石２８は、中空カップ状の保持部材３６に固定的に受容され、この保持部材３６が、椀状の操作部材３０の中心凹部３０ａに固定される。保持部材３６は、操作部材３０を支持部材３２上で変位操作する間に実質的に変形しない程度の剛性を有し、その外周壁の軸線方向一端（図で下端）を、支持部材３２の後述する支持面３２ａに一様に当接させた状態で、支持面３２ａ上で３６０°全方位へ摺動しつつ平行移動できる。
【００１９】
他方、操作部材３０は、支持部材３２上での変位操作の間に比較的容易に変形する弾性を有し、中心凹部３０ａを有する触接操作部分３８と、触接操作部分３８から外方へ延長される弾性ばね部分４０と、弾性ばね部分４０の末端で支持部材３２に連結される連結部分４２とを一体に有する。操作部材３０の弾性ばね部分４０は、保持部材３６を実質的全周に渡って囲繞するとともに、無負荷状態で保持部材３２に対し同軸に配置される円錐台状又はドーム状の輪郭形状を有する。したがって操作部材３０は、その弾性ばね部分４０が、支持部材３２上での保持部材３６（すなわち触接操作部分３８）の水平移動に伴い弾性変形するとともに、変形量に対応する弾性力を、触接操作部分３８の水平移動方向に関わらず一様に発揮する。
【００２０】
支持部材３２は、操作部材３０の変位操作の間に実質的に変形しない剛性を有する板状部材であり、保持部材３６を任意の水平方向へ摺動自在に支持する平坦な支持面３２ａを有する。支持部材３２にはさらに、支持面３２ａを囲繞するようにして、保持部材３６の水平移動範囲を規定する円筒壁４４が突設されるとともに、円筒壁４４の外側に離間して外壁４６が突設される。支持面３２ａの中心を通る円筒壁４４の中心軸線は、ポインティングデバイス２２の中心軸線Ｐを構成するとともに、支持面３２ａ上での保持部材３６（すなわち触接操作部分３８）の水平移動範囲の原点位置を規定する。
【００２１】
操作部材３０の連結部分４２は、支持部材３２の円筒壁４４と外壁４６との間の環状溝領域に嵌着される。この状態で、操作部材３０及び支持部材３２の相互に嵌着係合した外縁領域を実質的に遮蔽するように、中心開口４８ａを有するカバー板４８が、例えば支持部材３２にスナップ式に取り付けられる。カバー板４８の中心開口４８ａは、操作部材３０の触接操作部分３８を水平移動可能に挿通させる寸法及び形状を有する。カバー板４８は、操作部材３０に固定された保持部材３６をその下端で支持部材３２の支持面３２ａに摺動自在に当接させた状態で、操作部材３０と支持部材３２とを互いに適正な組立状態に保持し、それにより操作部組立体３４が構成される。
【００２２】
操作部組立体３４は、上部筐体２０の所定位置に形成した１つの貫通孔２４に、操作部材３０の触接操作部分３８を挿通させた状態で、接着、嵌合等の適当な手段により、上部筐体２０又は回路基板１４に固定的に組み付けられる。この状態で、回路基板１４の裏面１４ｂに実装した４個の磁電変換素子２６は、ポインティングデバイス２２の中心軸線Ｐを中心とした等間隔分散位置に配置される。このような磁電変換素子２６の配置構成により、後述するようにポインティングデバイス２２は、二次元座標系におけるアナログデータ信号を出力できるようになっている。
【００２３】
ポインティングデバイス２２の操作に際し、オペレータは、操作部材３０の触接操作部分３８を、例えば端末装置１０の筐体を握持した手の指により操作して、上部筐体２０に対して水平移動（すなわち筐体上面に沿った方向へ移動）させることができる。操作部材３０の弾性ばね部分４０が平衡状態にあるときには、触接操作部分３８及び保持部材３６に保持される磁石２８の中心軸線が、ポインティングデバイス２２の中心軸線Ｐに合致する。この状態で触接操作部分３８及び保持部材３６は、支持部材３２上で水平移動範囲の原点位置に位置決めされ、回路基板１４上の４個の磁電変換素子２６が磁石２８から等距離に配置される。この状態から、オペレータが操作部材３０の触接操作部分３８を任意の水平方向へ平行移動させると、磁石２８と各磁電変換素子２６との相対的位置関係が変化し、各磁電変換素子２６の出力電圧が変動する。同時に、操作部材３０の弾性ばね部分４０は、触接操作部分３８の移動方向及び移動距離に対応して弾性変形し、触接操作部分３８を原点位置に復帰させるばね力を生じる。
【００２４】
操作部材３０の水平移動によって生じた個々の磁電変換素子２６の出力電圧変動は、回路基板１４上の図示しないＣＰＵでアナログ情報として処理されてデジタル座標データに変換され、データ処理される。このようにして、操作部材３０の触接操作部分３８の移動方向及び移動距離に対応して、端末装置１０のディスプレイ（図示せず）上のカーソルやポインタを所望方向に所望距離だけ移動することができる。データ入力後、オペレータが操作部材３０への操作力を解除すると、操作部材３０の弾性ばね部分４０が生じているばね力により、直ちに触接操作部分３８が保持部材３６及び磁石２８と一体的に原点位置に復帰する。
【００２５】
上記したポインティングデバイス２２を搭載する端末装置１０の特徴的構成として、キーパネル１８は、複数の押下要素１６に連結されてポインティングデバイス２２の設置場所に延長されるシート状の延長部分５０を有する。延長部分５０は、ポインティングデバイス２２の設置場所で、回路基板１４の表面１４ａを被覆して、ポインティングデバイス２２の第１検出要素（４個の磁電変換素子）２６と操作部組立体３４との間に介在する。つまり、図２に示すように、キーパネル１８の延長部分５０は、その一方の面で回路基板１４の表面１４ａに密接するとともに、他方の面で、ポインティングデバイス２２の操作部組立体３４の支持部材３２の裏面（支持面３２ａの反対側の面）に密接する。
【００２６】
上記構成を有する端末装置１０では、ポインティングデバイス２２の操作部組立体３４を、キーパネル１８から独立した部品として構成しているから、例えば既述の特許文献１に記載されるような従来構造において懸案となっていたキーパネル１８の構造に起因するポインティングデバイス２２の入力操作性や組立精度への影響は、効果的に低減される。１つの集成体として取り扱うことができる操作部組立体３４は、それ自体の構成部品が比較的少ないから容易かつ正確に組み立てることができ、内蔵する磁石２８を回路基板１４上の磁電変換素子２６に対し適正位置に正確に位置決めすることができる。しかも、ポインティングデバイス２２の設置場所でキーパネル１８の延長部分５０が回路基板１４を被覆するから、キーパネル１８の本質的機能である回路基板１４に対する防塵防水機能を劣化させることがない。
【００２７】
端末装置１０においては、ポインティングデバイス２２の操作部組立体３４をキーパネル１８の延長部分５０に対し、適正に位置合わせして固定的に保持できる位置決め構造を有することが有利である。この位置決め構造としては、例えば図３に示すように、操作部組立体３４の所望箇所に形成した複数の突起５２と、上部筐体２０のポインティングデバイス２２用の貫通孔２４に隣接して対応箇所に形成した複数の凹所５４との組合せから構成できる。この場合、突起５２は、操作部組立体３４の例えば支持部材３２の所望部位に、操作部材３０側へ突出するように形成できる。また凹所５４は、操作部組立体３４の突起５２を個別に圧入可能な寸法及び形状を有することができる。
【００２８】
他の位置決め構造として、図４に示すように、操作部組立体３４の例えば支持部材３２の所望箇所に、操作部材３０の反対側へ突出するように複数の突起５２を形成する一方、回路基板１４の対応箇所に、突起５２を個別に受容可能な複数の貫通穴５６を形成することもできる。この場合には、図５に示すように、キーパネル１８に穴を開ける代わりに、延長部分５０の近傍に、突起５２を個別に受容した状態で貫通穴５６に個別に嵌入可能な複数の窪み部分５８を、キーパネル１８に一体的に形成することが、キーパネル１８の防塵防水機能を劣化させない観点で有効である。
【００２９】
端末装置１０に搭載されるポインティングデバイス２２は、図６に示すように、決定キーとしてのクリック機能を付加するための第２のスイッチ６０を備えることができる。第２のスイッチ６０は、ダイヤルキーとして機能する前述したスイッチ１２と同様の構成を有し、回路基板１４の表面１４ａの所定位置（例えば４個の磁電変換素子２６の中央に相当する位置）に担持される。この場合、ポインティングデバイス２２の操作部組立体３４には、支持部材３２の中央領域に、支持部材３２の外縁領域から中心に向かって片持ち梁式に放射状に延設される複数（図では４個）の弾性梁部分６２が形成される。それら弾性梁部分６２は、操作部材３０に固定された保持部材３６を摺動自在に支持する支持面６２ａをそれぞれに有する（図７）。また、各弾性梁部分６２は、保持部材３６から支持面６２ａに加えられた圧力によって、支持部材３２の外縁領域との連結基端を支点に弾性的に撓むことができる。そして、１つの長尺の弾性梁部分６２には、支持面６２ａの反対側の裏面に、ポインティングデバイス２２の中心軸線Ｐ上に位置する押圧突起６４が設けられる。
【００３０】
ポインティングデバイス２２は、図７に示す原点位置において、第２のスイッチ６０によるクリック操作を遂行できる。クリック操作に際しては、オペレータが操作部材３０の触接操作部分３８を例えば指先で筐体開口２４の内方へ押し込んで、保持部材３６の下端面を複数の弾性梁部分６２の支持面６２ａに押し付けることにより、それら弾性梁部分６２を弾性的に撓ませる。それにより、１つの弾性梁部分６２の押圧突起６４が、その下方に位置するキーパネル１８の延長部分５０を第２のスイッチ６０に向けて押圧し、その結果、延長部分５０が第２のスイッチ６０を押圧して閉成動作させる。
【００３１】
或いは図８に示すように、第２のスイッチ６０を備えたポインティングデバイス２２においても、弾性梁部分６２のようなスイッチ押圧構造をそれ自体に有しない図２に示す操作部組立体３４を採用することもできる。この場合、キーパネル１８の延長部分５０には、回路基板１４に対向する裏面５０ａの所定位置に、中心軸線Ｐを中心として分散配置される複数の支柱６６が形成されるとともに、中心軸線Ｐに合致する位置に押圧突起６８が形成される（図９）。ポインティングデバイス２２のアナログデータ入力操作に際しては、キーパネル１８の延長部分５０に設けた複数の支柱６６が、操作部組立体３４を回路基板１４に平行な方向へ水平移動可能に支持する。他方、ポインティングデバイス２２のクリック操作に際しては、操作部組立体３４に加わる押圧力により、操作部組立体３４を担持した延長部分５０が弾性的に撓んで、押圧突起６８がその下方の第２のスイッチ６０に押圧力を加える。
【００３２】
以上、本発明の好適な実施形態を説明したが、本発明は図示構成に限定されず、特許請求の範囲の記載において、様々な修正を施すことができる。例えば、端末装置１０における非接触型の検出要素である磁電変換素子２６及び磁石２８に代えて、光センサ（発光素子及び受光素子）を採用することもできる。
【産業上の利用可能性】
【００３３】
本発明に係る端末装置の構成は、携帯電話やＡＶ機器用リモートコントロールスイッチ等の、手持操作式の小型端末装置であって、ポインティングデバイスを搭載することにより多機能化した端末装置に、特に有利に利用できる。
【図面の簡単な説明】
【００３４】
【図１】本発明の一実施形態による端末装置の主要部の分解斜視図である。
【図２】図１の端末装置の主要部を組立状態で示す縦断面図である。
【図３】図１の端末装置における位置決め構造の一例を示す主要部の分解斜視図である。
【図４】図１の端末装置における位置決め構造の他の例を示す主要部の分解斜視図である。
【図５】図４の端末装置の主要部を組立状態で示す縦断面図である。
【図６】本発明の他の実施形態による端末装置の主要部の分解斜視図である。
【図７】図６の端末装置の主要部を組立状態で示す縦断面図である。
【図８】図６の端末装置の変形例を示す主要部の縦断面図である。
【図９】図８の変形例における一構成部品の斜視図である。
【符号の説明】
【００３５】
１０…端末装置
１２…スイッチ
１４…回路基板
１６…押下要素
１８…キーパネル
２０…上部筐体
２２…ポインティングデバイス
２４…貫通孔
２６…第１検出要素（磁電変換素子）
２８…第２検出要素（磁石）
３０…操作部材
３２…支持部材
３４…操作部組立体
５０…延長部分
５２…突起
５４…凹所
５６…貫通穴
５８…窪み部分
６０…第２のスイッチ
【図１】
2005107672.tif 000003
【図２】
2005107672.tif 000004
【図３】
2005107672.tif 000005
【図４】
2005107672.tif 000006
【図５】
2005107672.tif 000007
【図６】
2005107672.tif 000008
【図７】
2005107672.tif 000009
【図８】
2005107672.tif 000010
【図９】
2005107672.tif 000011